(57)【要約】      （修正有）【課題】通常時は、ＩＣタグシールを外部との接触およびアクセスから保護し、保護ケースが引き抜かれたときは、不正行為が行われた可能性を適確に把握する。【解決手段】主制御基板ケース３は、互いに分離可能な前面ケース３０および後面ケース３１と、それぞれのＩＣタグシール貼付部間を跨ぐように張り付けた、ＩＣチップとアンテナ部とを備えるＩＣタグシールと、ＩＣタグシール貼付部の係止位置に形成された被係止部としての係合凹部に係止部としての係合爪部を係止し、ＩＣタグシール貼付部を包囲してＩＣタグシールを保護する保護ケース４と、保護ケース４内の一部に配設し、保護ケース４を取り外す際にＩＣタグシールを切断するＩＣタグシール切断手段とを備え、ＩＣタグシール切断手段が、保護ケース４を取り外すためにＩＣタグシール貼付部の係止位置から保護ケース４が引き抜かれた際にＩＣタグシールの少なくとも一部が切断されるように構成する。【選択図】図１
2010284444.tif 000002
【特許請求の範囲】
【請求項１】
内部に制御基板が格納される制御基板ケースであって、
ＩＣタグシール貼付部がそれぞれに形成され、互いに分離可能な複数のケース体と、
前記ＩＣタグシール貼付部間を跨ぐように張り付けられ、ＩＣチップとアンテナとを備えるＩＣタグシールと、
前記ＩＣタグシール貼付部の係止位置に形成された被係止部に係止部が係止され、当該ＩＣタグシール貼付部を包囲して前記ＩＣタグシールを保護する保護ケースと、
前記保護ケース内の一部に配設され、前記保護ケースを取り外す際に前記ＩＣタグシールを切断するＩＣタグシール切断手段とを備え、
前記ＩＣタグシール切断手段が、前記保護ケースを取り外すために前記ＩＣタグシール貼付部の前記係止位置から前記保護ケースが引き抜かれた際に前記ＩＣタグシールの少なくとも一部を切断するように構成されている
ことを特徴とする制御基板ケース。
【請求項２】
請求項１において、
前記ＩＣタグシール切断手段が、前記ＩＣタグシールの少なくとも２箇所を切断する
ことを特徴とする制御基板ケース。
【請求項３】
請求項１または請求項２において、
前記ＩＣタグシール切断手段が、前記被係止部に前記保護ケースが係止される時に前記ＩＣタグシールに当接する当接部位に平坦部が形成されるとともに、前記被係止部から前記保護ケースが引き抜かれる時に当接する当接部位にＩＣタグシールを切断する切断部が形成されている
ことを特徴とする制御基板ケース。
【請求項４】
請求項３において、
前記平坦部と前記切断部が、前記保護ケースと一体成形されている
ことを特徴とする制御基板ケース。
【請求項５】
請求項４において、
前記保護ケースの一部に前記保護ケースのその他の部分に対して外方に向かって可動自在の可動部が形成され、
前記ＩＣタグシール切断手段が、前記可動部の内面から内方に向かって突設されている
ことを特徴とする制御基板ケース。
【請求項６】
請求項３において、
前記ＩＣタグシール切断手段が、前記被係止部に前記保護ケースが係止される時に前記ＩＣタグシールに当接する当接部位に平坦部が形成されるとともに、前記被係止部から前記保護ケースが引き抜かれる時に当接する当接部位にＩＣタグシールを切断する切断部が形成された切断部材によって構成されている
ことを特徴とする制御基板ケース。
【請求項７】
請求項６において、
前記切断部材が、前記保護ケースの内壁に対して倒立動自在な倒立部材によって構成されている
ことを特徴とする制御基板ケース。
【請求項８】
請求項６において、
前記切断部材が、前記保護ケースの内壁に凹設された凹部に進退自在に介挿されている進退部材によって構成されている
ことを特徴とする制御基板ケース。
【請求項９】
請求項３ないし請求項８のいずれかにおいて、
前記ＩＣタグシール貼付部が、前記ＩＣタグシール切断手段の前記切断部に対応する部位に、前記ＩＣタグシール切断手段の侵入を許容するための凹部を備えている
ことを特徴とする制御基板ケース。
【発明の詳細な説明】
【技術分野】
【０００１】
本発明は、内部に制御基板が格納される制御基板ケースであって、ＩＣタグシール貼付部がそれぞれに形成され、互いに分離可能な複数のケース体と、前記ＩＣタグシール貼付部間を跨ぐように張り付けられ、ＩＣチップとアンテナとを備えるＩＣタグシールと、前記ＩＣタグシール貼付部の係止位置に形成された被係止部に係止部が係止され、当該ＩＣタグシール貼付部を包囲して前記ＩＣタグシールを保護する保護ケースと、前記保護ケース内の一部に配設され、前記保護ケースを取り外す際に前記ＩＣタグシールを切断するＩＣタグシール切断手段とを備え、前記ＩＣタグシール切断手段が、前記保護ケースを取り外すために前記ＩＣタグシール貼付部の前記係止位置から前記保護ケースが引き抜かれた際に前記ＩＣタグシールの少なくとも一部を切断するように構成される制御基板ケースに関するものである。
【背景技術】
【０００２】
従来の第１の制御基板ケースは、図２９に示すように、内側にゲームをコントロールする制御基板Ｂが収容される基板収容ケースＣが配設され、この基板収容ケースＣのケース本体ＣＢとケース蓋ＣＣの境目にはケース本体ＣＢとケース蓋ＣＣに跨ってＩＣチップ封印シールＳが接着され、ＩＣチップ封印シールＳのデータはＩＣ読取チェッカーＲによって読み取られるようになっていた。  
さらに、深夜等にパチンコ店に忍び込んで前記基板収容ケースＣに収容されている制御基板Ｂを改竄しようとして無理に基板収容ケースＣのケース蓋ＣＣを開けようとしたり、前記ＩＣチップ封印シールＳを剥がそうとしてＩＣチップ封印シールＳに不当な力が加わると、内蔵されているＩＣチップが破損するように構成されていた。
【０００３】
上記構成より成る従来の第１の制御基板ケースは、不正行為者が、制御基板を改竄しようとして基板収容ケースを不当に細工したりすると、前記ＩＣチップが破損するため、前記ＩＣ読取チェッカーでの読み取りができなくなり、このことをもって制御基板の改竄事実の有無をチェックするものであった。
【０００４】
また従来の第２の制御基板ケースは、図３０に示すように、主基板Ｂが、ボックスベースＢＢ及びボックスカバーＢＣから構成される基板ボックスに収容され、ボックスベースＢＢ及びボックスカバーＢＣにはそれぞれ貼付部ＳＢ１，ＳＢ２が形成され、両貼付部ＳＢ１，ＳＢ２を跨ぐように封印シールＳが貼り付けられるものであった。さらに、封印シールＳには、アンテナ部の長手方向に沿って等間隔で並ぶ多数のアンテナ用切り込みが形成されるものであった。
【０００５】
上記構成より成る従来の第２の制御基板ケースは、前記封印シールＳを剥がす力に伴う応力が、アンテナ部の周囲に位置するアンテナ用切り込みの端部に集中することで、アンテナ用切り込みを介して当該アンテナ部が破壊され、それに伴ってアンテナ部が分断されるため、前記従来の第１の制御基板ケース同様、不正行為者が、制御基板を改竄しようとして基板収容ケースや封印シールにアクセスした際に、当該封印シールを破損させ、スキャナーでの読み取りができなくなることをもって、制御基板の改竄事実の有無をチェックするものであった。
【先行技術文献】
【特許文献】
【０００６】
【特許文献１】特開２００５−２１３１４号公報
【特許文献２】特開２００６−３０５３１９号公報
【発明の概要】
【発明が解決しようとする課題】
【０００７】
しかしながら、上記従来の第１の制御基板ケースおよび従来の第２の制御基板ケースのように、ＩＣタグシール自体に予め切断個所を設けたり、ＩＣタグシール自体の強度を予め低いものに設定して、不正行為者がＩＣタグシールにアクセスした際に、簡単にＩＣタグシールが破断等するように構成した場合には、そもそもＩＣタグシール貼り付け時に当該ＩＣタグシールが破断してしまい、不正行為が行われる前にＩＣタグシールの機能が失われ、不正行為の事実の有無を検知するという目的を果たすことができなくなるという問題があった。これは、上記従来の第２の制御基板ケースのように両貼付部を跨るようにＩＣタグシールを折り曲げて貼り付ける場合には、ＩＣタグシールに負荷がかかるため特に顕著な問題となる。
【０００８】
また、仮に破断せずにＩＣタグシールを貼り付けることができたとしても、当該ＩＣタグシールが、制御基板ケースに剥き出しの状態で貼り付けられているため、制御基板ケースを遊技機に搭載する時や、何らかの点検等を行う際の接触などによって、前記ＩＣタグシールが簡単に破断してしまうとゆう問題があった。
【０００９】
これは、発明の究極の目的が、ＩＣタグシールが破断したこと自体を検知することではなく、不正行為者の不正な行為によってＩＣタグシールが破断されたことを検知することであることを考えると、本末転倒な結果となる。
【００１０】
また、制御基板ケースへの不正開放または不正操作によって破断した前記ＩＣタグシールの１箇所を丁寧に調整することによりＩＣチップ部またはおよび送受信アンテナ部が修復された場合に、前記制御基板ケースへの不正開放または不正操作をリーダーによって検知出来ないという問題もあった。
【００１１】
そこで本発明者らは、内部に制御基板が格納される制御基板ケースであって、ＩＣタグシール貼付部がそれぞれに形成され、互いに分離可能な複数のケース体と、前記ＩＣタグシール貼付部間を跨ぐように張り付けられ、ＩＣチップとアンテナとを備えるＩＣタグシールと、前記ＩＣタグシール貼付部の係止位置に形成された被係止部に係止部が係止され、当該ＩＣタグシール貼付部を包囲して前記ＩＣタグシールを保護する保護ケースと、前記保護ケース内の一部に配設され、前記保護ケースを取り外す際に前記ＩＣタグシールを切断するＩＣタグシール切断手段とを備え、前記ＩＣタグシール切断手段が、前記保護ケースを取り外すために前記ＩＣタグシール貼付部の前記係止位置から前記保護ケースが引き抜かれた際に前記ＩＣタグシールの少なくとも一部を切断するように構成するという本発明の技術的思想に着眼して、さらに研究開発を重ねた結果、通常時には、ＩＣタグシールを外部との接触およびアクセスから保護するとともに、前記保護ケースが引き抜かれたときには、不正行為が行われた可能性があることを適確に把握するという目的を達成する本発明に到達した。
【００１２】
また本発明者らは、内部に制御基板が格納される制御基板ケースであって、ＩＣタグシール貼付部がそれぞれに形成され、互いに分離可能な複数のケース体と、前記ＩＣタグシール貼付部間を跨ぐように張り付けられ、ＩＣチップとアンテナとを備えるＩＣタグシールと、前記ＩＣタグシール貼付部の係止位置に形成された被係止部に係止部が係止され、当該ＩＣタグシール貼付部を包囲して前記ＩＣタグシールを保護する保護ケースと、前記保護ケース内の一部に配設され、前記保護ケースを取り外す際に前記ＩＣタグシールを切断するＩＣタグシール切断手段とを備え、前記ＩＣタグシール切断手段が、前記保護ケースを取り外すために前記ＩＣタグシール貼付部の前記係止位置から前記保護ケースが引き抜かれた際に前記ＩＣタグシールの少なくとも２箇所を切断するように構成するという本発明の技術的思想に着眼して、さらに研究開発を重ねた結果、ＩＣタグシール切断後に切断面を綺麗に元に戻された場合でも、ＩＣタグシールの切断事実の有無を確実に検知し、制御基板に対する不正行為が行われた可能性があることを適確に把握するという目的を達成する本発明に到達した。
【課題を解決するための手段】
【００１３】
本発明（請求項１に記載の第１発明）の制御基板ケースは、
内部に制御基板が格納される制御基板ケースであって、
ＩＣタグシール貼付部がそれぞれに形成され、互いに分離可能な複数のケース体と、
前記ＩＣタグシール貼付部間を跨ぐように張り付けられ、ＩＣチップとアンテナとを備えるＩＣタグシールと、
前記ＩＣタグシール貼付部の係止位置に形成された被係止部に係止部が係止され、当該ＩＣタグシール貼付部を包囲して前記ＩＣタグシールを保護する保護ケースと、
前記保護ケース内の一部に配設され、前記保護ケースを取り外す際に前記ＩＣタグシールを切断するＩＣタグシール切断手段とを備え、
前記ＩＣタグシール切断手段が、前記保護ケースを取り外すために前記ＩＣタグシール貼付部の前記係止位置から前記保護ケースが引き抜かれた際に前記ＩＣタグシールの少なくとも一部を切断するように構成されている
ものである。
【００１４】
本発明（請求項２に記載の第２発明）の制御基板ケースは、
前記第１発明において、
前記ＩＣタグシール切断手段が、前記ＩＣタグシールの少なくとも２箇所を切断する
ものである。
【００１５】
本発明（請求項３に記載の第３発明）の制御基板ケースは、
前記第１発明または前記第２発明において、
前記ＩＣタグシール切断手段が、前記被係止部に前記保護ケースが係止される時に前記ＩＣタグシールに当接する当接部位に平坦部が形成されるとともに、前記被係止部から前記保護ケースが引き抜かれる時に当接する当接部位にＩＣタグシールを切断する切断部が形成されている
ものである。
【００１６】
本発明（請求項４に記載の第４発明）の制御基板ケースは、
前記第３発明において、
前記平坦部と前記切断部が、前記保護ケースと一体成形されている
ものである。
【００１７】
本発明（請求項５に記載の第５発明）の制御基板ケースは、
前記第４発明において、
前記保護ケースの一部に前記保護ケースのその他の部分に対して外方に向かって可動自在の可動部が形成され、
前記ＩＣタグシール切断手段が、前記可動部の内面から内方に向かって突設されている
ものである。
【００１８】
本発明（請求項６に記載の第６発明）の制御基板ケースは、
前記第３発明において、
前記ＩＣタグシール切断手段が、前記被係止部に前記保護ケースが係止される時に前記ＩＣタグシールに当接する当接部位に平坦部が形成されるとともに、前記被係止部から前記保護ケースが引き抜かれる時に当接する当接部位にＩＣタグシールを切断する切断部が形成された切断部材によって構成されている
ものである。
【００１９】
本発明（請求項７に記載の第７発明）の制御基板ケースは、
前記第６発明において、
前記切断部材が、前記保護ケースの内壁に対して倒立動自在な倒立部材によって構成されている
ものである。
【００２０】
本発明（請求項８に記載の第８発明）の制御基板ケースは、
前記第６発明において、
前記切断部材が、前記保護ケースの内壁に凹設された凹部に進退自在に介挿されている進退部材によって構成されている
ものである。
【００２１】
本発明（請求項９に記載の第９発明）の制御基板ケースは、
前記第３発明ないし前記第８発明のいずれかにおいて、
前記ＩＣタグシール貼付部が、前記ＩＣタグシール切断手段の前記切断部に対応する部位に、前記ＩＣタグシール切断手段の侵入を許容するための凹部を備えている
ものである。
【発明の効果】
【００２２】
上記構成より成る第１発明の制御基板ケースは、前記ＩＣタグシール貼付部の係止位置に形成された被係止部に係止部が係止され、当該ＩＣタグシール貼付部を包囲して前記ＩＣタグシールを保護する前記保護ケースを取り外すために、互いに分離可能な複数のケース体にそれぞれに形成され、ＩＣタグシールが跨ぐように貼り付けられた前記ＩＣタグシール貼付部の前記係止位置から前記保護ケースが不正行為者によって引き抜かれた際に、前記保護ケース内の一部に配設された前記ＩＣタグシール切断手段が前記ＩＣタグシールの少なくとも一部を切断するので、通常時には、ＩＣタグシールを外部との接触およびアクセスから保護するとともに、前記保護ケースが引き抜かれたときには、不正行為が行われた可能性があることを適確に把握できるという効果を奏する。
【００２３】
上記構成より成る第２発明の制御基板ケースは、前記第１発明において、不正行為者によって保護ケースが引き抜かれた際に、前記ＩＣタグシール切断手段によって前記ＩＣタグシールの少なくとも２箇所が切断されるので、ＩＣタグシール切断後に切断面を綺麗に元に戻された場合でも、ＩＣタグシールの切断事実の有無を確実に検知し、制御基板に対する不正行為が行われた可能性があることを適確に把握できるという効果を奏する。
【００２４】
上記構成より成る第３発明の制御基板ケースは、前記第１発明または前記第２発明において、前記被係止部に前記保護ケースが係止される際には前記ＩＣタグシール切断手段の前記平坦部がＩＣタグシールに当接するので、当該ＩＣタグシールを切断することなく保護ケースの取り付けができるとともに、一方前記被係止部から前記保護ケースが引き抜かれる際には前記ＩＣタグシール切断手段の前記切断部がＩＣタグシールに当接して切断するので、当該ＩＣタグシールを確実に切断できるという効果を奏する。
【００２５】
上記構成より成る第４発明の制御基板ケースは、前記第３発明において、前記ＩＣタグシール切断手段の前記平坦部と前記切断部が、前記保護ケースと一体成形されているので、部品点数が少なく、簡素な構成でコストダウンが可能となるという効果を奏する。
【００２６】
上記構成より成る第５発明の制御基板ケースは、前記第４発明において、前記ＩＣタグシール切断手段が内面から内方に向かって突設される前記可動部が形成された前記保護ケースの一部が、前記保護ケースのその他の部分に対して外方に向かって可動するので、前記ＩＣタグシール切断手段の前記平坦部が前記ＩＣタグシールに当接する際の力を外方に逃がすことによって、当該ＩＣタグシールの損傷をより確実に回避することができるという効果を奏する。
【００２７】
上記構成より成る第６発明の制御基板ケースは、前記第３発明において、前記被係止部に前記保護ケースが係止される際には前記ＩＣタグシール切断手段を構成する前記切断部材によって前記平坦部がＩＣタグシールに当接するので、より確実に当該ＩＣタグシールを切断することなく保護ケースの取り付けができるとともに、一方前記被係止部から前記保護ケースが引き抜かれる際には前記切断部がＩＣタグシールに当接して切断するので、当該ＩＣタグシールをより確実に切断できるという効果を奏する。
【００２８】
上記構成より成る第７発明の制御基板ケースは、前記第６発明において、保護ケースを取り付ける際には、前記切断部材を構成する倒立動自在な前記倒立部材が、前記保護ケースに対して倒れるので、より確実にＩＣタグシールを損傷することなく保護ケースの取り付けができるとともに、保護ケースを取り外す際には、前記倒立部材が前記保護ケースに対して立ち上がるので、より確実にＩＣタグシールを切断できるという効果を奏する。
【００２９】
上記構成より成る第８発明の制御基板ケースは、前記第６発明において、保護ケースを取り付ける際には、前記切断部材を構成する前記保護ケースの内壁に凹設された凹部に進退自在に介挿された前記進退部材が、前記凹部に退避するので、より確実にＩＣタグシールを損傷することなく保護ケースの取り付けができるとともに、保護ケースを取り外す際には、前記進退部材が前記凹部から進出するので、より確実にＩＣタグシールを切断できるという効果を奏する。
【００３０】
上記構成より成る第９発明の制御基板ケースは、前記第３発明ないし前記８発明のいずれかにおいて、前記ＩＣタグシール切断手段の前記切断部が、前記ＩＣタグシール貼付部の前記ＩＣタグシール切断手段に対応する部位に配設された凹部に侵入するので、ＩＣタグシール切断手段によるＩＣタグシールの切断をより確実に実現できるという効果を奏する。
【図面の簡単な説明】
【００３１】
【図１】本発明の第１実施例の制御基板ケースにおける保護ケースをＩＣタグシール貼付部に装着した状態を示す斜視図である。
【図２】本第１実施例のパチンコ遊技機を前方から見た説明図である。
【図３】本第１実施例のパチンコ遊技機を後方から見た説明図である。
【図４】本第１実施例の主制御基板ケースを示す分解斜視図である。
【図５】本第１実施例におけるＩＣタグシール貼付部の構成を示す斜視図である。
【図６】本発明の実施例において用いるＩＣタグシールの構成を示した説明図である。
【図７】本第１実施例におけるＩＣタグシール貼付部にＩＣタグシールを貼り付けた状態を示す斜視図である。
【図８】本第１実施例の主制御基板ケースの保護ケースの内部を示す斜視図である。
【図９】図１中のＡ−Ａ線に沿って切断した断面を示す断面図である。
【図１０】図１中のＢ−Ｂ線に沿って切断した断面を示す断面図である。
【図１１】本第１実施例における保護ケースをＩＣタグシール貼付部に装着する過程を示す説明図である。
【図１２】本第１実施例における保護ケースをＩＣタグシール貼付部から取り外す過程を示す説明図である。
【図１３】本第１実施例におけるＩＣタグシール切断手段によって切断されたＩＣタグシールを展開した状態を示す説明図である。
【図１４】本第２実施例におけるＩＣタグシール貼付部の構成を示す斜視図である。
【図１５】本第２実施例におけるＩＣタグシール貼付部にＩＣタグシールを貼り付けた状態を示す斜視図である。
【図１６】本第２実施例における保護ケースをＩＣタグシール貼付部に装着した状態を示す斜視図である。
【図１７】本第２実施例の主制御基板ケースの保護ケースの内部を示す斜視図である。
【図１８】図１７中のＡ−Ａ線に沿って切断した断面を示す断面図である。
【図１９】本第２実施例のＩＣタグシール切断手段の構成を示す斜視図、正面図および側面図である。
【図２０】本第２実施例における保護ケースをＩＣタグシール貼付部に装着する過程を示す説明図である。
【図２１】本第２実施例における保護ケースをＩＣタグシール貼付部から取り外す過程を示した説明図である。
【図２２】本第２実施例におけるＩＣタグシール切断手段によって切断されたＩＣタグシールを展開した状態を示す説明図である。
【図２３】本第３実施例の主制御基板ケースの保護ケースの内部を示す斜視図である。
【図２４】図２３中のＡ−Ａ線に沿って切断した断面を示す断面図である。
【図２５】本第３実施例のＩＣタグシール切断手段の進退部材を示す斜視図である。
【図２６】本第３実施例における保護ケースをＩＣタグシール貼付部に装着する過程を示す説明図である。
【図２７】本第３実施例における保護ケースをＩＣタグシール貼付部から取り外す過程を示した説明図である。
【図２８】本発明の変形例における主制御基板ケースの構成を示す断面図である。
【図２９】従来の第１の制御基板ケースの構成を示す説明図である。
【図３０】従来の第２の制御基板ケースの構成を示す説明図である。
【発明を実施するための形態】
【００３２】
以下、本発明の最良の実施形態について、実施例に基づき図面を用いて説明する。
【実施例１】
【００３３】
本第１実施例の制御基板ケースは、図１ないし図１３に示すように内部に主制御基板５が格納される主制御基板ケース３であって、ＩＣタグシール貼付部３０２，３１２がそれぞれに形成され、互いに分離可能な前面ケース３０および後面ケース３１と、前記ＩＣタグシール貼付部３０２，３１２間を跨ぐように張り付けられ、ＩＣチップ６３とアンテナ部６２とを備えるＩＣタグシール６と、前記ＩＣタグシール貼付部３０２，３１２の係止位置に形成された被係止部としての係合凹部３２０ａ，３２０ｂに係止部としての係合爪部４２２ａ，４２２ｂが係止され、当該ＩＣタグシール貼付部３０２，３１２を包囲して前記ＩＣタグシール６を保護する保護ケース４と、前記保護ケース４内の一部に配設され、前記保護ケース４を取り外す際に前記ＩＣタグシール６を切断するＩＣタグシール切断手段４１ｄとを備え、前記ＩＣタグシール切断手段４１ｄが、前記保護ケース４を取り外すために前記ＩＣタグシール貼付部３０２，３１２の前記係止位置から前記保護ケース４が引き抜かれた際に前記ＩＣタグシール６の少なくとも一部が切断されるように構成されている。
【００３４】
パチンコ遊技機１は、図２に示すように前面枠１０を備え、前面枠１０には、遊技者が操作ハンドル１１を操作することによって発射された遊技球が流下する遊技領域１２を備える。当該遊技領域１２の中央部には、様々な図柄等が変動表示される図示しない図柄変動表示装置が配設され、その下部には、図示しない始動入賞口が配設されている。当該始動入賞口に遊技球が入賞することを契機として遊技制御基板による大当たり抽選が行われる。前記始動入賞口の下部には、アタッカーが配設され、当該アタッカーは、大当たり発生時に所定回数だけ開放状態となり多数の遊技球が入賞するように構成されている。
【００３５】
盤裏１３には、図３に示すように盤裏カバー２がヒンジ部２０ａ，２０ｂによって揺動自在に支持され、主制御基板ケース３が、前記盤裏カバー２とその一部が前後に重なり合うように、ヒンジ部３１ａおよび３１ｂによって揺動自在に配設されている。これは、前後に重なり合う部材が存在する場合において、隠れた部位を容易に確認できるようにするための工夫である。
【００３６】
当該主制御基板ケース３は、図４に示すように図３中手前に位置する前面ケース３０と、図３中後方に位置する後面ケース３１とからなり、主制御基板５が、当該前面ケース３０と後面ケース３１との間に介装される。前記前面ケース３０および前記後面ケース３１は、ともに透光性材料によって構成され、外部から内部に格納された主制御基板５を視認できるようになっている。当該主制御基板５には、図示しないＣＰＵ、ＲＯＭおよびＲＡＭ等が実装されている。また、前記前面ケース３０と後面ケース３１とは、前面ケース３０に配設されたカシメピン３０１ａ，３０１ｂを後面ケースのカシメ受け３１１ａ，３１１ｂにかしめるとともに、ＩＣタグシール貼付部３０２，３１２において、ネジ３０５をネジ穴３１５に螺合することによって固定するものである。
【００３７】
前記前面ケース３０の前記ＩＣタグシール貼付部３０２は、図５に示すように前記前面ケース３０の図３中左側面たる前面ケース側面３０３の一部に突設され、その先端面３０２ｃおよび手前面３０２ｄには、後述するＩＣタグシール切断手段４１ｄの切断方向への移動を許容する前記主制御基板ケースの長手方向に沿って切断手段用溝部３０４が直線的に延在形成されている。
【００３８】
同様に前記後面ケース３１の前記ＩＣタグシール貼付部３１２は、前記後面ケース３１の左側面たる後面ケース側面３１３の一部に突設され、前記前面ケース３０のＩＣタグシール貼付部３０２と向かい合うように形成されている。なお当該ＩＣタグシール貼付部３１２には、前面ケース３０の前記ＩＣタグシール貼付部３０２とは異なり切断手段用溝部は形成されていない。
【００３９】
また前記ＩＣタグシール貼付部３０２，３１２の左側面３０２ａ，３１２ａには、後述する保護ケース４の係合爪部４２２ａを係合支持する係合凹部３２０ａが凹設され、同様に反対側の前記ＩＣタグシール貼付部３０２，３１２の右側面３０２ｂ，３１２ｂには、前記保護ケース４の係合爪部４２２ｂを係合支持する係合凹部３２０ｂが凹設される。
【００４０】
次にＩＣタグシール６の具体的構成について、図６を用いて説明する。
【００４１】
前記ＩＣタグシール６は、図６（Ｂ）中のＡ−Ａ線に沿って切断した断面を示す図６（Ｃ）に示すように、ベースシートたる表面６０を備え、当該表面６０の背面には粘着材が塗布され粘着層６５が形成されている。また、ＩＣチップ６３とその両端部に延在するアンテナ部６２とからなる長尺矩形形状のインレットが、前記粘着層６５の対角線上の一部に位置するように配設されている。さらに、ＩＣタグシール６をＩＣタグシール貼付部３０２，３１２に貼り付けるまで、前記粘着層６５と他の物との粘着を防止する剥離紙６４を貼り付けておく。
【００４２】
前記インレットは、前記ＩＣタグシール６の裏面を示す図６（Ｂ）に示すようにＩＣチップ６３とアンテナ部６２より構成され、長尺状のアンテナ部６２の中央付近にＩＣチップ６３が配置されており、当該ＩＣチップ６３は、固有の識別番号、すなわちＩＤ等の各種情報を記憶・格納するためのメモリーを備える。
【００４３】
本第１実施例のパチンコ遊技機１で用いるＩＣタグシール６は、周波数帯域２．４５ＧＨｚのパッシブ型の無線ＩＣタグを採用しており、リーダー・ライター側のアンテナからＩＣタグシール６に向けて電波としてエネルギーとコマンドを送信すると、当該ＩＣタグシール６の中のアンテナ部６２で電波を受け、この電波を前記ＩＣチップ６３内の図示しない整流回路に送る。ＩＣチップ６３は、当該整流回路において電波の高周波エネルギーを整流して直流に変換し、その電流をエネルギーとして使用するものである。
【００４４】
前記リーダー・ライター側からのコマンドが読み出し命令であれば、前記ＩＣチップ６３は、内蔵された前記メモリーからＩＤ情報等の各種データを読み出し、ＩＣタグシールのアンテナ部６２からリーダー・ライター側のアンテナに向けて電波を送信し、リーダー・ライター側との通信を行うものである。
【００４５】
上述したように、前記ＩＣタグシール６が保有する各種情報は、ＩＣチップ６３のメモリーに格納された情報をリーダー・ライターとの無線通信において確認する方法が採られるが、人間の目視による確認も可能にするため、必要に応じて、前記ＩＣタグシール６の表面を示す図６（Ａ）に示すようにＩＣタグシール６の表面６０の一部に各種の情報を記載する情報記載部６６を設ける。
【００４６】
前記ＩＣタグシール６は、図７に示すように前記前面ケース３０のＩＣタグシール貼付部３０２と前記後面ケース３１のＩＣタグシール貼付部３１２とに跨るように貼り付けられる。すなわち、ＩＣタグシール６の短辺の断面が、略コの字状になるようにＩＣタグシール貼付部３０２，３１２に貼り付けられるものである。また、ＩＣタグシール貼付部３０２に凹設された前記切断手段用溝部３０４は、貼り付けられたＩＣタグシール６によってその一部が隠れるようになっている。さらに、前記ＩＣタグシール６のアンテナ部６２の一部が、前記切断手段用溝部３０４上に位置するように貼り付けられるものである。
【００４７】
次に本第１実施例の保護ケース４の具体的構成について、図８ないし図１０を用いて説明する。
【００４８】
前記保護ケース４は、図８に示すように透光性材料によって構成される左側面４０ａ、右側面４０ｂ、先端面４０ｃ、手前面４０ｄおよび奥面４０ｅによって開放面以外を覆うように構成される。
【００４９】
前記保護ケース４は、その前記左側面４０ａおよび右側面４０ｂにそれぞれ平行に切り欠きが形成され、部分的に外方へ拡開可能な拡開片４２１ａ，４２１ｂが形成されている。
【００５０】
前記拡開片４２１ａ，４２１ｂは、図８および図９に示すようにその先端部に前記ＩＣタグシール貼付部３０２，３１２の左側面３０２ａ，３１２ａおよび右側面３０２ｂ，３１２ｂに凹設された前記係合凹部３２０ａ，３２０ｂと係合するための係合爪部４２２ａ，４２２ｂが形成され、当該係合爪部４２２ａ，４２２ｂはテーパー４２２０ａ，４２２０ｂおよび逆テーパー４２３０ａ，４２３０ｂを備える。
【００５１】
なお前記テーパー４２２０ａ，４２２０ｂは、前記逆テーパー４２３０ａ，４２３０ｂに比べ緩やかな傾斜面によって構成されているので、前記保護ケース４を前記ＩＣタグシール貼付部３０２，３１２から引き抜いて取り外す場合に比べ、それよりも弱い力で前記拡開片４２１ａ，４２１ｂを外方へ拡開させ、前記保護ケース４を前記ＩＣタグシール貼付部３０２，３１２に対して取り付けることができるものである。
【００５２】
さらに前記保護ケース４の手前面４０ｄの一部には、図８に示すように両端部に切り欠き４２３を入れて外方へ拡開自在とした拡開片４２１ｄが形成され、当該拡開片４２１ｄ内面には、ＩＣタグシール切断手段４１ｄが配設される。
【００５３】
当該ＩＣタグシール切断手段４１ｄは、扇形状で、保護ケース４の開放面側端部から緩やかな円弧状の傾斜面によって繋がれ、保護ケース４の先端面４０ｃ側に向かうに従って徐々に縦断面の断面積が減少する平坦部４１１と、前記拡開片４２１ｄ内面から立ち上がる鋭いエッジで構成される切断部４１０とから成る。
【００５４】
前記拡開片４２１ｄは、その拡開支持端４２４を例えば図示しない切り欠きを形成するなどして、当該拡開片４２１ｄが弱い力で外方へ拡開できるように設定されている。
【００５５】
また前記ＩＣタグシール切断手段４１ｄは、図１０に示すように前記保護ケース４が前記ＩＣタグシール貼付部３０２，３１２に取り付けられた際に、前記切断手段用溝部３０４のうち前記ＩＣタグシール６によって覆われていない部分の凹部に収容されるものである。
【００５６】
以下上記構成より成る本第１実施例の制御基板ケースの作用および効果について説明する。
【００５７】
前記保護ケース４を前記ＩＣタグシール貼付部３０２，３１２に取り付ける際の過程を、図１１（Ａ）ないし（Ｃ）を用いて説明する。
【００５８】
上記構成より成る本第１実施例のパチンコ遊技機において、前記保護ケース４が前記ＩＣタグシール貼付部３０２，３１２に装着するために押し込まれると、図１１（Ａ）ないし（Ｃ）に示すように前記ＩＣタグシール切断手段４１ｄの前記平坦部４１１が、前記ＩＣタグシール貼付部３０２の先端面３０２ｃ上に貼り付けられた前記ＩＣタグシール６を乗り越え、前記拡開片４２１ｄが外方（図１１中上方）へ拡開する。この際、前記拡開支持端４２４は、上述したように弱い力で外方へ拡開するように設定されているため、前記ＩＣタグシール６を切断することなく外方へ拡開するものである。
【００５９】
前記ＩＣタグシール切断手段４１ｄは、前記保護ケース４が前記ＩＣタグシール貼付部３０２，３１２に対して押し込まれるのに従い、前記ＩＣタグシール貼付部３０２上に貼り付けられた前記ＩＣタグシール６上を移動し、図１１（Ｃ）に示すように前記保護ケース４が完全に装着されると、前記拡開片４２１ｄが拡開状態から自然状態へと復帰して、前記ＩＣタグシール切断手段４１ｄが前記切断手段用溝部３０４のうち前記ＩＣタグシール６によって覆われていない部分の凹部に収容されるものである。
【００６０】
また前記保護ケース４は、この際図９に示したようにその両側面に形成された拡開片４２１ａ，４２１ｂの係合爪部４２２ａ，４２２ｂが、前記拡開片４２１ｄと同様に拡開状態から自然状態へと復帰して、前記ＩＣタグシール貼付部３０２，３１２の両側面に形成された前記係合凹部３２０ａ，３２０ｂに係合し、前記保護ケース４が前記ＩＣタグシール貼付部３０２，３１２に係止される係合状態となる。
【００６１】
次に、保護ケース４が取り外される際の動作について、図１２を用いて説明する。
保護ケース４が、図１２（Ａ）に示す保護ケース４の装着状態から、図１２（Ｂ）に示すように前記ＩＣタグシール貼付部３０２，３１２から引き抜かれると、前記ＩＣタグシール切断手段４１ｄが前記切断手段用溝部３０４に沿って移動し、その移動方向の先端部に配設された前記切断部４１０が、前記ＩＣタグシール６の端部に当接し、その後前記切断手段用溝部３０４に沿って移動するに従い前記ＩＣタグシール６を切断する。
【００６２】
そして前記切断部４１０が、図１２（Ｃ）に示すように前記ＩＣタグシール６の前記ＩＣタグシール貼付部３０２の前記先端面３０２ｃ上に貼られていた一部まで切断し終わり、前記ＩＣタグシール切断手段４１ｄが前記切断手段用溝部３０４から離脱すると、前記保護ケース４が前記ＩＣタグシール貼付部３０２，３１２から取り外される。
【００６３】
なお本第１実施例においては、図１３に示すように前記ＩＣタグシール切断手段４１ｄによって切断された前記ＩＣタグシール６を展開すると、前記ＩＣチップ６３の両端部に延びたアンテナ部６２のうち、前記ＩＣチップ６３から図中右上に延びたアンテナ部６２の一箇所が切断されるものである。
【００６４】
上記作用を奏する本第１実施例の制御基板ケースは、前記ＩＣタグシール貼付部３０２，３１２の係止位置に形成された被係止部としての前記係合凹部３２０ａ，３２０ｂに係止部としての前記係合爪部４２２ａ，４２２ｂが係止され、当該ＩＣタグシール貼付部３０２，３１２を包囲して前記ＩＣタグシール６を保護する前記保護ケース４を取り外すために、互いに分離可能な複数のケース体としての前記前面ケース３０および前記後面ケース３１にそれぞれに形成され、ＩＣタグシール６が跨ぐように貼り付けられた前記ＩＣタグシール貼付部３０２，３１２の前記係止位置から前記保護ケース４が不正行為者によって引き抜かれた際に、前記保護ケース４内の一部に配設された前記ＩＣタグシール切断手段４１ｄが前記ＩＣタグシール６の少なくとも一部を切断するので、通常時には、前記ＩＣタグシール６を外部との接触およびアクセスから保護するとともに、前記保護ケース４が引き抜かれたときには、不正行為が行われた可能性があることを適確に把握できるという効果を奏する。
【００６５】
また本第１実施例の制御基板ケースは、前記係合凹部３２０ａ，３２０ｂに前記保護ケース４が係止される際には前記ＩＣタグシール切断手段４１ｄの前記平坦部４１１がＩＣタグシール６に当接するので、当該ＩＣタグシール６を切断することなく保護ケース４の取り付けができるとともに、一方前記係合凹部３２０ａ，３２０ｂから前記保護ケース４が引き抜かれる際には前記ＩＣタグシール切断手段４１ｄの前記切断部４１０がＩＣタグシール６に当接して切断するので、当該ＩＣタグシール６を確実に切断できるという効果を奏する。
【００６６】
さらに本第１実施例の制御基板ケースは、前記主制御基板ケース３が、互いに分離可能な前面ケース３０と後面ケース３１とによって構成されているため、当該主制御基板ケース３を開放して改竄の対象たる主制御基板５にアクセスするためには、前記前面ケース３０と後面ケース３１とに跨るように貼り付けられたＩＣタグシール６の取り外しが必要なところ、このＩＣタグシール６にアクセスするためには、当該ＩＣタグシール６を保護する前記保護ケース４を引き抜いて取り外すことが必須となり、不正行為者によって、当該保護ケース４が引き抜かれると、確実に前記ＩＣタグシール切断手段４１ｄの前記切断部４１０が前記ＩＣタグシール６を切断するため、不正行為の痕跡を確実に残すことができるという効果を奏する。
【００６７】
さらに、本第１実施例の制御基板ケースは、前記ＩＣタグシール切断手段４１ｄの前記平坦部４１１と前記切断部４１０が、前記保護ケース４と一体成形されているので、部品点数が少なく、簡素な構成でコストダウンが可能となるという効果を奏する。
【００６８】
また、本第１実施例の制御基板ケースは、前記ＩＣタグシール切断手段４１ｄが内面から内方に向かって突設される可動部としての前記拡開片４２１ｄが、前記保護ケース４のその他の部分に対して外方に向かって拡開するので、前記ＩＣタグシール切断手段４１ｄの前記平坦部４１１が前記ＩＣタグシール６に当接する際の力を外方に逃がすことによって、当該ＩＣタグシール６の損傷をより確実に回避することができるという効果を奏する。
【００６９】
さらに、本第１実施例の制御基板ケースは、前記ＩＣタグシール切断手段４１ｄの前記切断部４１０が、前記ＩＣタグシール貼付部３０２，３１２の前記ＩＣタグシール切断手段４１ｄに対応する部位に配設された前記切断手段用溝部３０４に侵入するので、前記ＩＣタグシール切断手段４１ｄによるＩＣタグシール６の切断をより確実に実現できるという効果を奏する。
【実施例２】
【００７０】
本第２実施例の制御基板ケースは、図１４ないし図２２に示すように保護ケース４内に当該保護ケース４とは別部材の切断部材によって構成されるＩＣタグシール切断手段７ｄ，７ｅが配設される点、および２つの前記ＩＣタグシール切断手段７ｄ，７ｅによってＩＣタグシール６の２箇所を切断する点が上述の第１実施例との主な相違点であり、以下相違点を中心に説明する。
【００７１】
本第２実施例の制御基板ケースは、図１４ないし図２２に示すように前記ＩＣタグシール切断手段７ｄ，７ｅが、前記被係止部としての前記係合凹部３２０ａ，３２０ｂに前記保護ケース４が係止される時に前記ＩＣタグシール６に当接する当接部位に平坦部７１１が形成されるとともに、前記係合凹部３２０ａ，３２０ｂから前記保護ケース４が引き抜かれる時に当接する当接部位にＩＣタグシール６を切断する切断部７１０が形成された切断部材によって構成されており、前記切断部材が、前記保護ケース４の内壁に対して倒立動自在な倒立部材７１によって構成されるものである。
【００７２】
本第２実施例のＩＣタグシール貼付部３０２，３１２について、図１４を用いて詳細に説明する。
前記ＩＣタグシール貼付部３０２は、前記前面ケース３０の左側面たる前面ケース側面３０３の一部に突設され、その先端面３０２ｃおよび手前面３０２ｄには、後述するＩＣタグシール切断手段７ｄの切断方向への移動を許容する切断手段用溝部３０４が形成されている。
【００７３】
同様に前記後面ケース３１の前記ＩＣタグシール貼付部３１２は、前記後面ケース３１の左側面たる後面ケース側面３１３の一部に突設され、前記前面ケース３０のＩＣタグシール貼付部３０２と向かい合うように形成されている。また、前記ＩＣタグシール貼付部３１２の先端面３１２ｃおよび奥面３１２ｅには、後述するもう一つのＩＣタグシール切断手段７ｅの切断方向への移動を許容する切断手段用溝部３１４が形成されている。
【００７４】
ＩＣタグシール６は、図１５に示すように第１実施例と同様に前記前面ケース３０のＩＣタグシール貼付部３０２と前記後面ケース３１のＩＣタグシール貼付部３１２とに跨るように貼り付けられる。すなわち、ＩＣタグシール６の短辺の貼り付け形状が、略コの字状になるようにＩＣタグシール貼付部３０２，３１２に貼り付けられるものである。また、前記ＩＣタグシール貼付部３０２，３１２の前記切断手段用溝部３０４，３１４は、貼り付けられたＩＣタグシール６によってその一部が隠れるようになっている。
【００７５】
次に本第２実施例の保護ケース４の具体的構成について、図１６ないし図１９を用いて説明する。
【００７６】
前記ＩＣタグシール貼付部３０２，３１２に装着された前記保護ケース４は、当該保護ケース４を前記ＩＣタグシール貼付部３０２，３１２に装着した状態を示す図１６に示すように、第１実施例と同様に透光性材料によって構成される左側面４０ａ、右側面４０ｂ、先端面４０ｃ、手前面４０ｄおよび奥面４０ｅによって構成され、その左側面４０ａおよび右側面４０ｂには拡開片４２１ａ，４２１ｂを備え、当該拡開片４２１ａ，４２１ｂの内部に配設された係合爪部４２２ａ，４２２ｂが前記ＩＣタグシール貼付部３０２，３１２の両側面に形成された係合凹部３２０ａ，３２０ｂに係合するものである。
【００７７】
また前記ＩＣタグシール切断手段７ｄ，７ｅが、図１７および図１８に示すように前記保護ケース４内部の前記ＩＣタグシール貼付部３０２，３１２の前記切断手段用溝部３０４，３１４に対応する位置に配設される。
【００７８】
具体的には倒立部材７１は、図１８および図１９に示すように平坦部７１１および切断部７１０を備え、前記保護ケース４の前記手前面４０ｄおよび前記奥面４０ｅの内面に固着された前記ベース部材７０に対して揺動軸７２を介して揺動自在に支持されている。
【００７９】
前記倒立部材７１は、前記保護ケース４の開放面側に前記平坦部７１１、その反対側に前記切断部７１０が位置するように前記ベース部材７０に配置され、当該平坦部７１１および切断部７１０の下側に位置し、側面の下面が円弧部７１３によって形成された揺動支持部７１２が、前記平坦部７１１および前記切断部７１０と一体的に形成されるものである。
【００８０】
前記揺動支持部７１２を構成する両側面の略中央部には、前記ベース部材７０の両側面７０１および７０２の略中央部に固定される前記揺動軸７２が貫挿され、前記倒立部材７１が前記ベース部材７０に対して倒立動自在に揺動支持されるものである。
【００８１】
またコイルバネ７３が、前記揺動軸７２の周りに巻装され、前記倒立部材７１が当該コイルバネ７３によって前記ベース部材７０に対して垂直に立ち上がる方向に付勢される。なお前記倒立部材７１は、前記ベース部材７０の背面７００によって前記切断部７１０を下にして前記保護ケース４に対して倒れた状態から、前記保護ケース４に対して垂直に立ち上がる状態まででその揺動が止まるように規制されている。
【００８２】
以下上記構成より成る本第２実施例の制御基板ケースの作用および効果について説明する。
【００８３】
前記保護ケース４を前記ＩＣタグシール貼付部３０２，３１２に取り付ける際の過程について、図２０（Ａ）ないし（Ｄ）に基づき説明する。
【００８４】
上記構成より成る本第２実施例の制御基板ケースにおいて、前記保護ケース４が前記ＩＣタグシール貼付部３０２，３１２に装着するために押し込まれると、図２０（Ａ）および（Ｂ）に示すように前記保護ケース４の前記手前面４０ｄおよび奥面４０ｅの内面に配設された前記ＩＣタグシール切断手段７ｄ，７ｅを構成する前記倒立部材７１が、当該倒立部材７１の前記平坦部７１１が前記ＩＣタグシール貼付部３０２，３１２の先端面３０２ｃ，３１２ｃに当接して付勢されることで、前記コイルバネ７３の付勢力に抗して保護ケース４に対して倒れ始める。
【００８５】
さらに保護ケース４が、図２０（Ｃ）に示すように前記ＩＣタグシール貼付部３０２，３１２に対して押し込まれると、前記倒立部材７１が保護ケース４に対して完全に倒れた状態（図２０（Ｃ）中水平状態）でＩＣタグシール６上を移動する。
【００８６】
そして図２０（Ｄ）に示すように、前記保護ケース４が完全に装着されると、前記倒立部材７１が倒れた状態から立ち上がった状態へ前記コイルバネ７３の付勢力によって復帰して、前記倒立部材７１が前記切断手段用溝部３０４，３１４のうち前記ＩＣタグシール６によって覆われていない部分の凹部に収容されるものである。
【００８７】
次に保護ケース４が取り外される際の動作について、図２１（Ａ）ないし（Ｃ）を用いて説明する。
【００８８】
前記保護ケース４が、図２１（Ａ）に示す保護ケース４の装着状態から、図２１（Ｂ）に示すように前記ＩＣタグシール貼付部３０２，３１２から引き抜かれると、前記倒立部材７１が、前記コイルバネ７３によって立ち上がる方向の直立状態に付勢され前記ベース部材７０の前記背面７００に当接して規制されているので、前記倒立部材７１のナイフエッジ状の前記切断部７１０が、前記切断手段用溝部３０４，３１４上に貼り付けられたＩＣタグシール６に当接し、当該ＩＣタグシール６を前記切断手段用溝部３０４，３１４に沿って移動することにより切断する。
【００８９】
そして前記切断部４１０が、図２１（Ｃ）に示すように前記ＩＣタグシール６の前記ＩＣタグシール貼付部３０２の前記先端面３０２ｃ上に貼られていた一部まで切断し終わり、前記ＩＣタグシール切断手段７ｄ，７ｅが前記切断手段用溝部３０４，３１４から離脱すると、前記保護ケース４が前記ＩＣタグシール貼付部３０２，３１２から取り外される。
【００９０】
なお本第２実施例においては、図２２に示すように前記ＩＣタグシール切断手段７ｄ，７ｅによって切断された前記ＩＣタグシール６を展開すると、前記ＩＣチップ６３の両端部に延びたアンテナ部６２がそれぞれ一箇所ずつ切断され、合計２箇所が切断されている。
【００９１】
上記作用を奏する本第２実施例の制御基板ケースは、前記被係止部としての前記係合凹部３２０ａ，３２０ｂに前記保護ケース４が係止される際には、前記ＩＣタグシール切断手段７ｄ，７ｅを構成する前記切断部材の前記平坦部７１１がＩＣタグシール６に当接するので、より確実に当該ＩＣタグシール６を切断することなく保護ケース４の取り付けができるとともに、一方前記係合凹部３２０ａ，３２０ｂから前記保護ケース４が引き抜かれる際には前記切断部７１０がＩＣタグシール６に当接して切断するので、当該ＩＣタグシール６をより確実に切断できるという効果を奏する。
【００９２】
また本第２実施例の制御基板ケースは、保護ケース４を取り付ける際には、前記切断部材を構成する倒立動自在な前記倒立部材７１が、前記ＩＣタグシール貼付部３０２，３１２の端部との接触によりバネの付勢力に抗して前記保護ケース４に対して揺動して倒れることにより前記平坦部７１１がＩＣタグシール６の表面に接触するので、より確実にＩＣタグシール６を損傷することなく保護ケース４の取り付けができるとともに、保護ケース４を取り外す際には、前記倒立部材７１が前記保護ケース４に対して立ち上がった直立状態に規制されることにより、前記ナイフエッジ状の切断部７１０がＩＣタグシール６に食い込むので、より確実にＩＣタグシール６を切断できるという効果を奏する。
【００９３】
さらに本第２実施例の制御基板ケースは、前記ＩＣタグシール切断手段７ｄ，７ｅのナイフエッジ状の前記切断部７１０が、前記ＩＣタグシール貼付部３０２，３１２の前記ＩＣタグシール切断手段７ｄ，７ｅに対応する部位に配設された前記切断手段用溝部３０４，３１４内に侵入して前記ＩＣタグシール６に食い込むので、前記ＩＣタグシール切断手段７ｄ，７ｅによるＩＣタグシール６の切断をより確実に実現できるという効果を奏する。
【００９４】
また、上述したようにＩＣタグシールを１箇所のみ切断した後に切断面を綺麗に元に戻された場合など、アンテナ部の有効範囲が充分に残存することに伴いＩＣチップとアンテナ部とによる通信機能がなおも有効に働く場合があるが、本第２実施例の制御基板ケースは、２つの前記ＩＣタグシール切断手段７ｄ，７ｅによって前記ＩＣタグシール６のアンテナ部６２の２箇所を切断して、前記ＩＣタグシール６のアンテナ部６２の有効範囲をリーダー・ライターとの通信機能が働かなくなる範囲まで切断するため、上記のような問題を解消し、前記ＩＣチップ６３とアンテナ部６２とによる通信機能を確実に抹消して、検査時にＩＣタグシール６の切断事実の有無を確実に検知し、制御基板の改竄等の不正行為を的確に把握できるという効果を奏する。
【００９５】
さらに本第２実施例の制御基板ケースは、前記保護ケース４が透光性材料によって構成されているので、保護ケース４内部（例えばＩＣタグシール６やＩＣタグシール切断手段７ｄ，７ｅの存在、さらには切断手段用溝部３０４，３１４の存在）をあえて外部から把握できるようにして、不正行為者に対して不正行為の痕跡が残ることへの不安感を与え、これが抑止力となり、不正行為をある程度未然に防止できるという効果を奏する。
【実施例３】
【００９６】
本第３実施例の制御基板ケースは、図２３ないし図２７に示すように、前記切断部材が保護ケース４内に形成された穴部の軸方向に進退自在の進退部材によって構成される点、および、保護ケース４が非透光性材料によって構成される点が、上述の第２実施例との主な相違点であり、以下相違点を中心に説明する。
【００９７】
まず本第３実施例の保護ケース４の具体的構成について、図２３ないし図２５を用いて説明する。
【００９８】
本第３実施例の制御基板ケースは、図２３および図２４に示すように上記第２実施例の制御基板ケースと基本的構成を同じくして、前記保護ケース４内に配設される前記切断部材が、前記保護ケース４の内壁に穿設された穴部としての刃部用穴部４３ｄ，４３ｅに進退自在に介挿されている進退部材７７によって構成されているものである。
【００９９】
具体的には、上記第２実施例において前記ベース部材７０が配設されていた位置に、前記進退部材７７が長手方向に進退自在に移動しうる刃部用穴部４３ｄ，４３ｅが穿設され、当該刃部用穴部４３ｄ，４３ｅの底面に前記進退部材７７を進退自在に支持する刃部用バネ４４ｄ，４４ｅの一端が係止され、その他端が前記進退部材７７の上端面７７０に係止される。
【０１００】
前記進退部材７７は、図２５に示すように保護ケース４の開放面側の下端部に、Ｒ面によって形成される平坦部７１１が形成され、その開放面側の反対側の端部にＩＣタグシール６を切断するためのエッジ部としての切断部７１０が形成される。
【０１０１】
以下上記構成より成る本第３実施例の制御基板ケースの作用および効果について説明する。
【０１０２】
前記保護ケース４を前記ＩＣタグシール貼付部３０２，３１２に取り付ける際の過程を図２６（Ａ）ないし（Ｄ）に基づいて説明する。
【０１０３】
上記構成より成る本第３実施例の制御基板ケースにおいて、前記保護ケース４が前記ＩＣタグシール貼付部３０２，３１２に装着するために押し込まれると、図２６（Ａ）および（Ｂ）に示すように、前記保護ケース４の前記手前面４０ｄおよび奥面４０ｅの内面に配設された前記ＩＣタグシール切断手段７ｄ，７ｅの前記進退部材７７が、当該進退部材７７の先端のＲ面によって構成される前記平坦部７１１が前記ＩＣタグシール貼付部３０２，３１２の先端面３０２ｃ，３１２ｃに当接し前記刃部用穴部４３ｄ，４３ｅの内方に押圧されることで、前記刃部用バネ４４ｄ，４４ｅの付勢力に抗して前記刃部用穴部４３ｄ，４３ｅ内に退避し始める。
【０１０４】
さらに保護ケース４が、図２６（Ｃ）に示すようにＩＣタグシール貼付部３０２，３１２に対して押し込まれると、前記進退部材７７のＲ面の平坦部７１１が、前記刃部用穴部４３ｄ，４３ｅ内に完全に退避した状態でＩＣタグシール６上を滑らかに当接して移動する。
【０１０５】
そして前記保護ケース４が、図２６（Ｄ）に示すように完全に装着されると、前記進退部材７７が、前記刃部用穴部４３ｄ，４３ｅ内に退避した状態から当該刃部用穴部４３ｄ，４３ｅ外へ突出した状態へ前記刃部用バネ４４ｄ，４４ｅの付勢力によって復帰して突出するので、前記進退部材７７が前記切断手段用溝部３０４，３１４のうち前記ＩＣタグシール６によって覆われていない部分の凹部に収容されるものである。
【０１０６】
次に、保護ケース４が取り外される際の動作について、図２７（Ａ）ないし（Ｃ）を用いて説明する。
【０１０７】
前記保護ケース４が、図２７（Ａ）に示す保護ケース４の装着状態から、図２７（Ｂ）に示すように前記ＩＣタグシール貼付部３０２，３１２から引き抜かれると、前記刃部用バネ４４ｄ，４４ｅによって前記進退部材７７が前記刃部用穴部４３ｄ，４３ｅ外へ突出する方向に付勢されているので、当該進退部材７７のリーディング側のエッジ状の前記切断部７１０が、前記切断手段用溝部３０４，３１４上に貼り付けられたＩＣタグシール６に当接して食い込み、当該ＩＣタグシール６を前記切断手段用溝部３０４，３１４に沿って移動して切断する。
【０１０８】
そして前記切断部７１０が、図２７（Ｃ）に示すように前記ＩＣタグシール６の前記ＩＣタグシール貼付部３０２の前記先端面３０２ｃ上に貼られていた一部まで切断し終わり、前記ＩＣタグシール切断手段７ｄ，７ｅが前記切断手段用溝部３０４，３１４から離脱すると、前記保護ケース４が前記ＩＣタグシール貼付部３０２，３１２から取り外される。
【０１０９】
なお本第３実施例においても、上記第２実施例同様図２２に示すように前記ＩＣタグシール切断手段７ｄ，７ｅによって切断された前記ＩＣタグシール６を展開すると、前記ＩＣチップ６３の両端部に延びたアンテナ部６２がそれぞれ一箇所ずつ切断され、合計２箇所が切断されているものである。
【０１１０】
なお本第３実施例の制御基板ケースにおいては、前記保護ケース４を構成する部材が、上述したように、非透光性材料によって構成されているため、保護ケース４を取り外す際に当該保護ケース４内部がどのような構造になっているのか外部から把握することができない。
【０１１１】
上記作用を奏する本第３実施例の制御基板ケースは、保護ケース４を取り付ける際には、前記切断部材を構成する前記保護ケース４の内壁に穿設された前記刃部用穴部４３ｄ，４３ｅに進退自在に介挿された前記進退部材７７が、前記刃部用穴部４３ｄ，４３ｅ内に退避してＲ面の平坦部７１１がＩＣタグシール６に当接するので、より確実にＩＣタグシール６を損傷することなく保護ケース４の取り付けができるとともに、保護ケース４を取り外す際には、前記進退部材７７が前記刃部用穴部４３ｄ，４３ｅから突出してナイフエッジ状の前記切断部７１０がＩＣタグシール６に食い込むので、より確実にＩＣタグシール６を切断できるという効果を奏する。
【０１１２】
また本第３実施例の制御基板ケースは、前記保護ケースを非透光性材料によって構成して外部から視認できないようにしたので、不用意に当該保護ケース４を外した不正行為者に対して、ＩＣタグシール６の切断により不正行為の痕跡が残ったことを認識させるので、その後の重大な不正行為（制御基板ケースの開放および制御基板の改竄等）をある程度抑制できるという効果を奏する。
【０１１３】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【０１１４】
例えば上述した実施例において、ＩＣタグをシールに実装させたＩＣタグシールを用いる例について説明したが、本発明はこれらに限定されるものではなく、趣旨を逸脱しない範囲で、インレット単体を配設したり、ＩＣカードを実装させる態様にも適用可能である。さらに、パッシブ型のＩＣタグに限らず、セミパッシブやアクティブ型のＩＣタグの採用も可能である。
【０１１５】
また、ＩＣタグシールの切断箇所として、ＩＣチップの両側に延在するアンテナ部の１箇所もしくは２箇所を切断する例について説明したが、本発明はこれらに限定されるものではなく、ＩＣチップを直接切断および破壊する場合やその他のＩＣタグシールの１箇所のみを切断する場合や３箇所以上を切断する場合、さらには、ＩＣチップの両側に延在する前記アンテナ部のうち片側のアンテナ部のみ複数箇所切断する態様にも適用可能である。
【０１１６】
さらに、ＩＣタグシール切断手段として、例えば、刃部の形状をギザギザにしたり、刃部の材質を工夫してわざと切断面の表面性状を粗くするような刃部を採用することで、一旦切断されたＩＣタグシールを綺麗に戻しにくくして、保護ケースの開放事実を確実に検知する態様にも適用可能である。また、ＩＣタグシールの切断の態様として、直線的にＩＣタグシールを切断する例について説明したが、例えば、針状の刃部でＩＣチップを貫通する態様や、円形の刃部やジグザグ状に構成された刃部を用いることで、その他の切断態様でＩＣタグシールを切断する例にも適用可能である。
【０１１７】
さらに、上述の第２実施例において、前記倒立部材７１をコイルバネによって立ち上がる方向に付勢する例について説明したが、本発明はそれに限定されるものではなく、その他の弾性手段やその他の倒立機構を用いる態様にも適用可能である。同様に、上述した第３実施例において、前記進退部材７７を通常のバネ部材である前記刃部用バネ４４ｄ，４４ｅによって付勢する例について説明したが、その他の弾性手段やその他の進退機構を用いる態様にも適用可能である。
【０１１８】
上述の第３実施例においてのみ、前記保護ケース４を不透明の非透光性材料によって構成する例について説明したが、本発明はこれに限定されるものではなく、その他の実施例においても保護ケース４を非透光性材料によって構成することが可能であり、その逆に第３実施例において前記保護ケース４を透光性材料によって構成する態様にも適用可能である。
【０１１９】
また、上述した実施例において、前記保護ケース４を前記ＩＣタグシール貼付部３０２，３１２から直線的に引き抜いて取り外す例について説明したが、本発明はそれに限定されるものではなく、図２８に示すように前記前面ケース３０の前記前面ケース側面３０３に揺動支持端４６が固定され、前記保護ケース４が前記ＩＣタグシール貼付部３０２，３１２に対して揺動して装着または取り外しが行われる態様にも適用可能である。なおこの態様においては、前記ＩＣタグシール貼付部３０２，３１２上に凹設された前記切断手段用溝部３０４，３１４は、前記保護ケース４内に配設された前記ＩＣタグシール切断手段７ｄ，７ｅの移動軌跡にあわせて略円弧状に形成されるものである。
【０１２０】
また、上述の実施例において、前面ケースと後面ケースによって構成される制御基板ケースについて説明したが、本発明はこれらに限定されるものではなく、制御基板ケースの構成が如何なるものであっても、内部に格納された制御基板にアクセスするために開放される境界部位に跨るようにＩＣタグシールを貼り付けるその他の態様にも適用可能である。
【０１２１】
さらに上述の実施例において、本発明を適用する制御基板ケースとして、もっとも改竄の対象とされやすい主制御基板を格納する主制御基板ケースについて説明したが、本発明はこれらに限定されるものではなく、例えば、音声制御基板や図柄制御基板等のその他の制御基板ケースに採用する態様にも適用可能である。
【産業上の利用可能性】
【０１２２】
内部に制御基板が格納される制御基板ケースであって、ＩＣタグシール貼付部がそれぞれに形成され、互いに分離可能な複数のケース体と、前記ＩＣタグシール貼付部間を跨ぐように張り付けられ、ＩＣチップとアンテナとを備えるＩＣタグシールと、前記ＩＣタグシール貼付部の係止位置に形成された被係止部に係止部が係止され、当該ＩＣタグシール貼付部を包囲して前記ＩＣタグシールを保護する保護ケースと、前記保護ケース内の一部に配設され、前記保護ケースを取り外す際に前記ＩＣタグシールを切断するＩＣタグシール切断手段とを備え、前記ＩＣタグシール切断手段が、前記保護ケースを取り外すために前記ＩＣタグシール貼付部の前記係止位置から前記保護ケースが引き抜かれた際に前記ＩＣタグシールの少なくとも一部を切断するように構成されに構成され、通常時には、ＩＣタグシールを外部との接触およびアクセスから保護するとともに、前記保護ケースが引き抜かれたときには、不正行為が行われた可能性があることを適確に把握するという用途に適用できる。
【符号の説明】
【０１２３】
１  パチンコ遊技機
３  主制御基板ケース
３０  前面ケース
３０２  ＩＣタグシール貼付部
３１  後面ケース
３１２  ＩＣタグシール貼付部
４  保護ケース
５  主制御基板
６  ＩＣタグシール
【図１】
2010284444.tif 000003
【図２】
2010284444.tif 000004
【図３】
2010284444.tif 000005
【図４】
2010284444.tif 000006
【図５】
2010284444.tif 000007
【図６】
2010284444.tif 000008
【図７】
2010284444.tif 000009
【図８】
2010284444.tif 000010
【図９】
2010284444.tif 000011
【図１０】
2010284444.tif 000012
【図１１】
2010284444.tif 000013
【図１２】
2010284444.tif 000014
【図１３】
2010284444.tif 000015
【図１４】
2010284444.tif 000016
【図１５】
2010284444.tif 000017
【図１６】
2010284444.tif 000018
【図１７】
2010284444.tif 000019
【図１８】
2010284444.tif 000020
【図１９】
2010284444.tif 000021
【図２０】
2010284444.tif 000022
【図２１】
2010284444.tif 000023
【図２２】
2010284444.tif 000024
【図２３】
2010284444.tif 000025
【図２４】
2010284444.tif 000026
【図２５】
2010284444.tif 000027
【図２６】
2010284444.tif 000028
【図２７】
2010284444.tif 000029
【図２８】
2010284444.tif 000030
【図２９】
2010284444.tif 000031
【図３０】
2010284444.tif 000032